(57)【要約】      （修正有）【課題】一度の操作でユーザの意図に合わせた情報の提示を行う。【解決手段】特定の項目に関連する第１の情報と第２の情報とをともに画面上に表示する表示制御手段と、前記画面上における位置の指定を受け付ける受付手段とを有し、前記表示制御手段は、前記第１の情報に対応する位置の指定が前記受付手段により受け付けられた場合、前記第１の情報と前記第２の情報とを消去し、前記第２の情報に対応する位置の指定が前記受付手段により受け付けられた場合、前記第１の情報を消去せず、前記第２の情報を消去することを特徴とする表示制御装置。【選択図】図２
2014006806.tif 000002
【特許請求の範囲】
【請求項１】
特定の項目に関連する第１の情報と第２の情報とをともに画面上に表示する表示制御手段と、
前記画面上における位置の指定を受け付ける受付手段とを有し、
前記表示制御手段は、前記第１の情報に対応する位置の指定が前記受付手段により受け付けられた場合、前記第１の情報と前記第２の情報とを消去し、前記第２の情報に対応する位置の指定が前記受付手段により受け付けられた場合、前記第１の情報を消去せず、前記第２の情報を消去することを特徴とする表示制御装置。
【請求項２】
特定の項目に関連する第１の情報と第２の情報と第３の情報とをともに画面上に表示する表示制御手段と、
前記画面上における位置の指定を受け付ける受付手段とを有し、
前記表示制御手段は、前記第１の情報に対応する位置の指定が前記受付手段により受け付けられた場合、前記第１の情報と前記第２の情報と前記第３の情報とを消去し、前記第２の情報に対応する位置の指定が前記受付手段により受け付けられた場合、前記第１の情報を消去せず、前記第２の情報と前記第３の情報とを消去し、前記第３の情報に対応する位置の指定が前記受付手段により受け付けられた場合、前記第１の情報と前記第２の情報とを消去せず、前記第３の情報を消去することを特徴とする表示制御装置。
【請求項３】
前記第２の情報は、前記第３の情報より優先順位が高い情報であることを特徴とする請求項２に記載の表示制御装置。
【請求項４】
前記第１の情報は、前記特定の項目に関連する他の情報より文字数が少ない又は面積が小さい情報であることを特徴とする請求項１乃至３の何れか１項に記載の表示制御装置。
【請求項５】
前記画面上において、前記第１の情報は、前記特定の項目を選択可能な領域以外の領域に表示され、前記特定の項目に関連する他の情報は、前記特定の項目を選択可能な領域に表示されることを特徴とする請求項１乃至４の何れか１項に記載の表示制御装置。
【請求項６】
特定の項目に関連する第１の情報と第２の情報とをともに画面上に表示する表示制御ステップと、
前記画面上における位置の指定を受け付ける受付ステップとを有し、
前記表示制御ステップは、前記第１の情報に対応する位置の指定が前記受付ステップにより受け付けられた場合、前記第１の情報と前記第２の情報とを消去し、前記第２の情報に対応する位置の指定が前記受付ステップにより受け付けられた場合、前記第１の情報を消去せず、前記第２の情報を消去することを特徴とする表示制御装置の制御方法。
【請求項７】
特定の項目に関連する第１の情報と第２の情報と第３の情報とをともに画面上に表示する表示制御ステップと、
前記画面上における位置の指定を受け付ける受付ステップとを有し、
前記表示制御ステップは、前記第１の情報に対応する位置の指定が前記受付ステップにより受け付けられた場合、前記第１の情報と前記第２の情報と前記第３の情報とを消去し、前記第２の情報に対応する位置の指定が前記受付ステップにより受け付けられた場合、前記第１の情報を消去せず、前記第２の情報と前記第３の情報とを消去し、前記第３の情報に対応する位置の指定が前記受付ステップにより受け付けられた場合、前記第１の情報と前記第２の情報とを消去せず、前記第３の情報を消去することを特徴とする表示制御装置の制御方法。
【請求項８】
特定の項目に関連する第１の情報と第２の情報とをともに画面上に表示する表示制御ステップと、
前記画面上における位置の指定を受け付ける受付ステップとをコンピュータに実行させ、
前記表示制御ステップは、前記第１の情報に対応する位置の指定が前記受付ステップにより受け付けられた場合、前記第１の情報と前記第２の情報とを消去し、前記第２の情報に対応する位置の指定が前記受付ステップにより受け付けられた場合、前記第１の情報を消去せず、前記第２の情報を消去することを特徴とするプログラム。
【請求項９】
特定の項目に関連する第１の情報と第２の情報と第３の情報とをともに画面上に表示する表示制御ステップと、
前記画面上における位置の指定を受け付ける受付ステップとをコンピュータに実行させ、
前記表示制御ステップは、前記第１の情報に対応する位置の指定が前記受付ステップにより受け付けられた場合、前記第１の情報と前記第２の情報と前記第３の情報とを消去し、前記第２の情報に対応する位置の指定が前記受付ステップにより受け付けられた場合、前記第１の情報を消去せず、前記第２の情報と前記第３の情報とを消去し、前記第３の情報に対応する位置の指定が前記受付ステップにより受け付けられた場合、前記第１の情報と前記第２の情報とを消去せず、前記第３の情報を消去することを特徴とするプログラム。
【請求項１０】
特定の項目に関連する第１の情報と第２の情報とをともに画面上に表示する表示制御ステップと、
前記画面上における位置の指定を受け付ける受付ステップとをコンピュータに実行させ、
前記表示制御ステップは、前記第１の情報に対応する位置の指定が前記受付ステップにより受け付けられた場合、前記第１の情報と前記第２の情報とを消去し、前記第２の情報に対応する位置の指定が前記受付ステップにより受け付けられた場合、前記第１の情報を消去せず、前記第２の情報を消去することを特徴とするプログラムを記録したコンピュータ読み取り可能な記録媒体。
【請求項１１】
特定の項目に関連する第１の情報と第２の情報と第３の情報とをともに画面上に表示する表示制御ステップと、
前記画面上における位置の指定を受け付ける受付ステップとをコンピュータに実行させ、
前記表示制御ステップは、前記第１の情報に対応する位置の指定が前記受付ステップにより受け付けられた場合、前記第１の情報と前記第２の情報と前記第３の情報とを消去し、前記第２の情報に対応する位置の指定が前記受付ステップにより受け付けられた場合、前記第１の情報を消去せず、前記第２の情報と前記第３の情報とを消去し、前記第３の情報に対応する位置の指定が前記受付ステップにより受け付けられた場合、前記第１の情報と前記第２の情報とを消去せず、前記第３の情報を消去することを特徴とするプログラムを記録したコンピュータ読み取り可能な記録媒体。
【発明の詳細な説明】
【技術分野】
【０００１】
本発明は、特定の項目に関連する情報を画面上において表示する技術に関するものである。
【背景技術】
【０００２】
従来、選択している設定項目について複数の関連情報を非表示にする際、タッチ操作や部材操作等によって、それぞれの関連情報を非表示にしていた。例えば、全ての関連情報をその下に表示される設定値を確認したい場合には、それぞれを閉じる必要があり、手間がかかってしまっていた。そこで、一度の操作によって全ての関連情報を非表示にしてしまうと、ユーザが残したい関連情報まで非表示になってしまい、不親切な表示となってしまっていた。
【０００３】
特許文献１には、呼び出しを受けたヘルプガイダンスを複数のエリアに分割し、アクティブになっている設定項目に応じたガイダンスを、ヘルプガイダンスのエリアを切替えることで表示させ、ヘルプガイダンスを終了させる際は、全てのガイダンスを非表示にする技術が開示されている。
【先行技術文献】
【特許文献】
【０００４】
【特許文献１】特開２００１−１１７６８９号公報
【発明の概要】
【発明が解決しようとする課題】
【０００５】
しかしながら、特許文献１に開示された技術においては、全てのガイダンスを非表示とするためには、各ガイダンスをそれぞれ操作する必要があり、手間がかかる。
【０００６】
そこで、本発明の目的は、一度の操作でユーザの意図に合わせた情報の提示を行うことにある。
【課題を解決するための手段】
【０００７】
本発明の表示制御装置は、特定の項目に関連する第１の情報と第２の情報とをともに画面上に表示する表示制御手段と、前記画面上における位置の指定を受け付ける受付手段とを有し、前記表示制御手段は、前記第１の情報に対応する位置の指定が前記受付手段により受け付けられた場合、前記第１の情報と前記第２の情報とを消去し、前記第２の情報に対応する位置の指定が前記受付手段により受け付けられた場合、前記第１の情報を消去せず、前記第２の情報を消去することを特徴とする。
【発明の効果】
【０００８】
本発明によれば、一度の操作でユーザの意図に合わせた情報の提示が可能となる。
【図面の簡単な説明】
【０００９】
【図１】本発明の実施形態に係るデジタルカメラの外観構成を示す図である。
【図２】本発明の実施形態に係るデジタルカメラの内部構成を示す図である。
【図３】表示部における表示画面の遷移の具体例を示す図である。
【図４】選択枠の動きに対応する、機能ガイダンス表示欄及び一行表示欄の表示制御処理を示すフローチャートである。
【図５】図４のステップＳ４０１の詳細を示すフローチャートである。
【図６】表示部における表示画面の遷移の具体例を示す図である。
【図７】図４のステップＳ４２８の詳細を示すフローチャートである。
【発明を実施するための形態】
【００１０】
以下、本発明を適用した好適な実施形態を、添付図面を参照しながら詳細に説明する。
【００１１】
図１は、本発明の実施形態に係るデジタルカメラ１００の外観構成を示す図である。図１において、２８は、画像データや各種情報を表示する表示部である。６１は、撮影指示を行うためのシャッタボタンである。６０は、各種モードを切り替えるためのモードダイアルである。１１１は、デジタルカメラ１００とＰＣ等の外部装置とを接続するための接続ケーブルである。１１２は、接続ケーブル１１１とデジタルカメラ１００とのコネクタである。７０は、ユーザからの各種操作を受け付ける各種スイッチ、ボタン及びタッチパネル等の操作部材より成る操作部である。７３は、操作部７０に含まれる回転操作可能なコントローラホイールである。７２は電源スイッチであり、電源オンと電源オフとを切り替える。２００は、メモリカードやハードディスク等の記録媒体である。２０１は、記録媒体２００を格納するための記録媒体スロットである。記録媒体スロット２０１に格納された記録媒体２００は、デジタルカメラ１００との通信が可能となる。２０２は、記録媒体スロット２０１の蓋である。なお、デジタルカメラ１００は、表示制御装置の例となる構成である。
【００１２】
図２は、本発明の実施形態に係るデジタルカメラ１００の内部構成を示す図である。図２において、１０３は、ズームレンズ及びフォーカスレンズを含むレンズ群である。１０１は、絞り機能を備えるシャッタである。２２は、光学像を電気信号に変換するＣＣＤやＣＭＯＳ素子等で構成される撮像部である。２３は、撮像部２２から出力されるアナログ信号をデジタル信号に変換するＡ／Ｄ変換器である。１０２は、レンズ群１０３を覆うことにより、レンズ群１０３、シャッタ１０１及び撮像部２２を含む撮像系の汚れや破損を防止するバリアである。
【００１３】
２４は、Ａ／Ｄ変換器２３から出力されるデジタル信号である画像データ、又は、メモリ制御部１５から出力される画像データに対し、所定の画素補間又は縮小といったリサイズ処理や色変換処理を行う画像処理部である。また、画像処理部２４は、撮像部２２によって撮像された画像データを用いて所定の演算処理を行い、システム制御部５０は、画像処理部２４によって得られた演算結果に基づいて、露光制御及び測距制御を行う。これにより、ＴＴＬ（スルー・ザ・レンズ）方式のＡＦ（オートフォーカス）処理、及び、ＡＥ（自動露出）処理、ＥＦ（フラッシュプリ発光）処理が行われる。さらに、画像処理部２４は、撮像部２２によって撮像された画像データを用いて所定の演算処理を行い、得られた演算結果に基づいて、ＴＴＬ方式のＡＷＢ（オートホワイトバランス）処理も行う。
【００１４】
Ａ／Ｄ変換器２３から出力された画像データは、画像処理部２４及びメモリ制御部１５を介して、或いは、メモリ制御部１５を介して、メモリ３２に書き込まれる。メモリ３２は、撮像部２２によって得られ、Ａ／Ｄ変換器２３によりデジタル信号に変換された画像データや、表示部２８に表示するための画像データを格納する。メモリ３２は、所定枚数の静止画像データ、所定時間の動画像データ及び音声データを格納するために十分な記憶容量を備える。
【００１５】
また、メモリ３２は、画像表示用のメモリ（ビデオメモリ）を兼ねている。Ｄ／Ａ変換器１３は、メモリ３２に格納されている表示用の画像データをアナログ信号に変換して表示部２８に供給する。これにより、メモリ３２に書き込まれた表示用の画像データは、Ｄ／Ａ変換器１３を介して表示部２８において表示される。表示部２８は、ＬＣＤ等の表示器上に、Ｄ／Ａ変換器１３から出力されるアナログ信号に応じた表示を行う。Ａ／Ｄ変換器２３によって一度Ａ／Ｄ変換され、メモリ３２に蓄積されたデジタル信号である画像データは、Ｄ／Ａ変換器１３においてアナログ信号に変換され、表示部２８に逐次転送されて表示される。これにより、電子ビューファインダとして機能し、スルー画像表示が行われる。
【００１６】
不揮発性メモリ５６は、電気的に消去及び記録を行うことが可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００１７】
システム制御部５０は、デジタルカメラ１００全体を制御する。上述した不揮発性メモリ５６に記録されたプログラムを実行することにより、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部５０は、メモリ３２、Ｄ／Ａ変換器１３及び表示部２８等を制御することにより、画像データの表示制御を行う。
【００１８】
システムタイマ５３は、各種制御に用いる時間や内蔵された時計の時間を計測する計時部である。モードダイアル６０、シャッタボタン６１及び操作部７０は、システム制御部５０に対して各種の動作指示を入力するための操作手段である。モードダイアル６０は、静止画記録モード、動画記録モード及び再生モード等の何れかに、システム制御部５０の動作モードを切り替える。静止画記録モードに含まれるモードとして、オート撮影モード、オートシーン判別モード、マニュアルモード、撮影シーン別の撮影設定となる各種シーンモード、プログラムＡＥモード、及び、カスタムモード等がある。モードダイアル６０を操作することにより、静止画撮影モードに含まれるこれらのモードの何れかに直接切り替えることができる。また、モードダイアル６０を操作することにより静止画撮影モードに一旦切り替えた後、他の操作部材を操作することにより、静止画撮影モードに含まれるこれらのモードのうちの何れかのモードに切り替えるようにしてもよい。静止画撮影モードと同様に、動画撮影モードにも複数のモードが含まれ、モードダイアル６０等を操作することにより、動画撮影モードに含まれるモード間の切り替えを行うようにしてもよい。
【００１９】
シャッタボタン６１には、第１シャッタスイッチ及び第２シャッタスイッチが含まれる。第１シャッタスイッチは、デジタルカメラ１００に設けられたシャッタボタン６１の操作途中、いわゆる半押し（撮影準備指示）でＯＮとなり、第１シャッタスイッチ信号ＳＷ１を発生する。システム制御部５０は、第１シャッタスイッチ信号ＳＷ１を入力することにより、ＡＦ（オートフォーカス）処理、ＡＥ（自動露出）処理、ＡＷＢ（オートホワイトバランス）処理、及び、ＥＦ（フラッシュプリ発光）処理等の動作を開始する。第２シャッタスイッチは、シャッタボタン６１の操作完了、いわゆる全押し（撮影指示）でＯＮとなり、第２シャッタスイッチ信号ＳＷ２を発生する。システム制御部５０は、第２シャッタスイッチ信号ＳＷ２を入力することにより、撮像部２２からの信号読み出しから記録媒体２００に画像データを書き込むまでの一連の撮影処理の動作を開始する。
【００２０】
操作部７０の各操作部材は、表示部２８に表示される種々の機能アイコンが選択操作される等により、場面毎に適宜機能が割り当てられ、各種機能ボタンとして作用する。機能ボタンとしては、例えば、終了ボタン、戻るボタン、画像送りボタン、ジャンプボタン、絞込みボタン、及び、属性変更ボタン等がある。例えば、メニューボタンが押されると、各種の設定可能なメニュー画面が表示部２８に表示される。利用者は、表示部２８に表示されたメニュー画面と、操作部７０に含まれる上下左右の４方向ボタンやＳＥＴボタンとを用いて、直感的に各種設定を行うことができる。
【００２１】
図１のコントローラホイール７３は、操作部７０に含まれる回転操作可能な操作部材であり、方向ボタンとともに設定項目を指示する際等に使用される。コントローラホイール７３を回転操作すると、操作量に応じて電気的なパルス信号が発生する。システム制御部５０は、このパルス信号に基づいて、デジタルカメラ１００の各部を制御する。システム制御部５０は、コントローラホイール７３によって発生したパルス信号に基づいて、コントローラホイール７３が回転操作された角度や、何回転したか等を判定することができる。なお、コントローラホイール７３は、回転操作を検出することができる操作部材であれば、どのようなものでもよい。例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作等を検出するもの（所謂、タッチホイール）であってもよい。
【００２２】
電源制御部８０は、電池検出回路、ＤＣ−ＤＣコンバータ、通電するブロックを切り替えるスイッチ回路等により構成され、電池の装着の有無、電池の種類、及び、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２３】
電源部３０は、アルカリ電池やリチウム電池等の一次電池やＮｉＣｄ電池やＮｉＭＨ電池、Ｌｉ電池等の二次電池、ＡＣアダプタ等からなる。記録媒体Ｉ／Ｆ１８は、メモリカードやハードディスク等の記録媒体２００とのインタフェースである。記録媒体２００は、撮影された画像データを記録するためのメモリカード等の記録媒体であり、半導体メモリや磁気ディスク等から構成される。
【００２４】
表示部２８はタッチパネルである。システム制御部５０は、タッチパネルに対する、「タッチダウン」、「タッチオン」、「ムーブ」、「タッチアップ」及び「タッチオフ」等の操作を検出する。なお、「タッチダウン」は、タッチパネルを指やペンで触れる操作である。「タッチオン」は、タッチパネルを指やペンで触れている状態を維持した操作である。「ムーブ」は、タッチパネルを指やペンで触れたまま移動する操作である。「タッチアップ」は、タッチパネルに触れていた指やペンを離す操作である。「タッチオフ」は、タッチパネルに何も触れていない状態の操作である。
【００２５】
なお、システム制御部５０には、タッチパネル上における指やペンが触れている座標を示す座標情報が通知される。特に、「ムーブ」に関しては、タッチパネル上における垂直方向と水平方向とで座標情報の変化が検出され、垂直方向の座標情報の変化と、水平方向の座標情報の変化との組合せにより、タッチパネル上の指やペンの移動方向が判定される。また、「タッチダウン」から一定の「ムーブ」を経て「タッチアップ」の操作がなされた場合、ストロークを描いたと判定される。素早くストロークを描く操作を、以下では「フリック」と称す。「フリック」は、タッチパネル上に指を触れたまま、ある程度の距離だけ素早く動かして、そのまま離すといった操作であり、言い換えればタッチパネル上を指ではじくように素早くなぞる操作である。
【００２６】
システム制御部５０は、所定の距離以上を、所定の速度以上で「ムーブ」したことを検出し、そのまま「タッチアップ」を検出すると、「フリック」が行なわれたと判定する。また、システム制御部５０は、所定の距離以上を、所定の速度未満で「ムーブ」したことを検出した場合、「ドラッグ」が行なわれたと判定する。タッチパネルは、抵抗膜方式、静電容量方式、表面弾性波方式、赤外線方式、電磁誘導方式、画像認識方式、及び、光センサ方式等、様々な方式のタッチパネルのうちの何れの方式のものを採用してもよい。
【００２７】
次に、図３を参照しながら、表示部２８における表示画面の遷移例について説明する。図３（ａ）は、機能ガイダンス表示欄及び一行表示欄が表示されていない状態の表示画面を示している。図３（ａ）に示す表示画面において、設定項目表示欄３０２は、設定項目を選択可能な領域である。即ち、設定項目表示欄３０２には、設定可能な設定項目が複数表示されており、これらのうちから任意の設定項目を選択枠３０１で選択することができる。各設定項目は、現在設定可能な状態の設定項目であるか否かを色で明示するとともに、数値やアイコンを用いて当該設定項目の設定値を明示している。例えば、グレーアウトさせる等して、設定不可能な設定項目であることが明示される。状態表示欄３０３には、デジタルカメラ１００の現在の設定値や状態等が表示される。
【００２８】
図３（ｂ）は、設定項目表示欄３０２の最上段にある設定項目が選択枠３０１によって選択された状態の表示画面を示している。図３（ｂ）に示す表示画面において、選択枠３０１によって選択された設定項目に対応する機能ガイダンス表示欄３０４は、設定項目表示欄３０２のうち、選択枠３０１によって選択された設定項目に重畳しない部分に表示される。これにより、選択枠３０１によって選択された設定項目が、機能ガイダンス表示欄３０４によって隠れないようにしている。また、選択枠３０１によって選択された設定項目に対応する一行表示欄３０５は、状態表示欄３０３上に重畳して表示される。
【００２９】
なお、図３（ｂ）に示す機能ガイダンス表示欄３０４には、選択枠３０１によって選択された設定項目の機能の説明や状態が文書で表示されている。また、図３（ｂ）に示す一行表示欄３０５には、選択枠３０１によって選択された設定項目の名称と操作可能な部材ガイドとが表示されている。一行表示欄３０５は、機能ガイダンス表示欄３０４よりも表示面積が小さく、文字数も少ない情報が表示される。
【００３０】
図３（ｃ）は、設定項目表示欄３０２の３段目にある設定項目が選択枠３０１によって選択された状態の表示画面を示している。図３（ｃ）に示す表示画面において、選択枠３０１によって選択された設定項目に対応する機能ガイダンス表示欄３０４は、設定項目表示欄３０２のうち、選択枠３０１によって選択された設定項目に重畳しない部分に表示される。これにより、選択枠３０１によって選択された設定項目が、機能ガイダンス表示欄３０４によって隠れないようにしている。また、選択枠３０１によって選択された設定項目に対応する一行表示欄３０５は、状態表示欄３０３上に重ねて表示される。
【００３１】
なお、図３（ｃ）に示す機能ガイダンス表示欄３０４には、図３（ｂ）に示す機能ガイダンス表示欄３０４の例と同様に、選択枠３０１によって選択された設定項目の機能の説明や状態が文書で表示されている。また、図３（ｃ）に示す一行表示欄３０５には、選択枠３０１によって選択された設定項目の名称ではなく、設定値の名称と関連値と操作可能な部材ガイドとが表示されている。
【００３２】
次に、図４を参照しながら、ユーザの操作に応じた、機能ガイダンス表示欄３０４及び一行表示欄３０５の表示制御処理について説明する。なお、図４に示す処理は、システム制御部５０が不揮発性メモリ５６から必要なプログラムやデータをシステムメモリ５２にロードし、実行することで実現する処理である。
【００３３】
ステップＳ４０１において、システム制御部５０は、各設定値を表示部２８に表示する。ここで、図５を参照しながら、ステップＳ４０１について詳細に説明する。ステップＳ５０１において、システム制御部５０は、不揮発性メモリ５６からデジタルカメラ１００の現在の設定値を取得する。ステップＳ５０２において、システム制御部５０は、ステップＳ５０１で取得した設定値と当該設定値に対応する設定項目とを含む状態表示欄３０３を表示する。
【００３４】
ステップＳ５０３において、システム制御部５０は、選択枠３０１の現在のフォーカス位置を不揮発性メモリ５６から取得する。ステップＳ５０４において、システム制御部５０は、設定項目表示欄３０２における現在のフォーカス位置に選択枠３０１を表示する。これにより、図６（ａ）に示すような表示画面となる。
【００３５】
図４の説明に戻る。ステップＳ４０２において、システム制御部５０は、方向キーの操作が行われた否かを判定する。方向キーの操作が行われた場合、処理はステップＳ４０３に移行する。一方、方向キーの操作が行われていない場合、処理はステップＳ４１２に移行する。
【００３６】
ステップＳ４０３において、システム制御部５０は、機能ガイダンス表示欄３０４を非表示にする。ステップＳ４０４において、システム制御部５０は、操作されたキー方向に選択枠３０１を移動させることが可能であるか否かを判定する。選択枠３０１を移動させることが可能である場合、処理はステップＳ４０５に移行する。一方、選択枠３０１を移動させることができない場合、処理はステップＳ４０２に戻る。
【００３７】
ステップＳ４０５において、システム制御部５０は、選択枠３０１をキー方向に１つ移動させる。ステップＳ４０６において、システム制御部５０は、移動後の選択枠３０１において選択された設定項目に関する情報を不揮発性メモリ５６から取得し、当該設定項目に対応する一行表示欄３０５を表示する。これにより、図６（ａ）に示す表示画面から図６（ｂ）に示す表示画面に遷移する。
【００３８】
ステップＳ４０７において、システム制御部５０は、選択枠３０１によって選択された設定項目に対応する機能ガイダンス表示欄３０４を表示する。これにより、図６（ｂ）に示す表示画面から図６（ｃ）に示す表示画面に遷移する。
【００３９】
ステップＳ４０８において、システム制御部５０は、システムタイマ５３によって計時される時間が所定の時間を経過したか否かを判定する。所定の時間を経過した場合、処理はステップＳ４０９に移行する。一方、所定の時間を経過していない場合、処理はステップＳ４０９及びＳ４１０をスキップして、Ｓ４１１に移行する。
【００４０】
ステップＳ４０９において、システム制御部５０は、選択枠３０１によって選択された設定項目に対応する一行表示欄３０５を非表示（消去）にする。これにより、図６（ｃ）に示す表示画面から図６（ｂ）に示す表示画面に遷移する。ステップＳ４１０において、システム制御部５０は、同じく選択枠３０１によって選択された設定項目に対応する機能ガイダンス表示欄３０４を非表示にする。これにより、図６（ｂ）に示す表示画面から図６（ａ）に示す表示画面に遷移する。なお、システムタイマ５３による計時は、ステップＳ５０２、Ｓ５１２及びＳ５１６において、操作が行われたと判定された場合に解除される。
【００４１】
ステップＳ４１１において、システム制御部５０は、画面の終了指示が行われたか否かを判定する。画面の終了指示が行われた場合、処理は終了する。一方、画面の終了指示が行われていない場合、処理はステップＳ４０２に戻る。
【００４２】
ステップＳ４１２において、システム制御部５０は、コントローラホイール７３が操作されたか否かを判定する。コントローラホイール７３が操作された場合、処理はステップＳ４１３に移行する。一方、コントローラホイール７３が操作されていない場合、処理はステップＳ４１６に移行する。
【００４３】
ステップＳ４１３において、システム制御部５０は、機能ガイダンス表示欄３０４を非表示にする。これにより、図６（ｄ）に示す表示画面から図６（ｅ）に示す表示画面に遷移する。ステップＳ４１４において、システム制御部５０は、コントローラホイール７３の操作量に応じて、設定項目の設定値と表示とを更新し、更新した設定値を不揮発性メモリ５６に保存する。ステップＳ４１５において、システム制御部５０は、選択枠３０１によって選択された設定項目に対応する一行表示欄３０５を表示する。このとき、一行表示欄３０５には、更新された設定値が反映されている。これにより、図６（ｅ）に示す表示画面から図６（ｆ）に示す表示画面に遷移する。その後、システム制御部５０は、上述したステップＳ４０８以降の処理に移行する。
【００４４】
ステップＳ４１６において、システム制御部５０は、タッチパネル（表示部２８）に対してタッチ操作が行われたか否かを判定する。タッチ操作が行われた場合、処理はステップＳ４１７に移行する。一方、タッチ操作が行われていない場合、処理はステップＳ４３０に移行する。
【００４５】
ステップＳ４１７において、システム制御部５０は、選択枠３０１によって現在選択されている設定項目に対して「タッチダウン」の操作が行われたか否かを判定する。選択枠３０１によって現在選択されている設定項目に対して「タッチダウン」の操作が行われた場合、処理はステップＳ４１８に移行する。一方、選択枠３０１によって現在選択されている設定項目に対して「タッチダウン」の操作が行われていない場合、処理はステップＳ４２２に移行する。
【００４６】
ステップＳ４１８において、システム制御部５０は、「タッチダウン」の操作が行われた設定項目の設定画面に遷移させる。ステップＳ４１９において、システム制御部５０は、当該設定画面上で入力された設定値を不揮発性メモリ５６に保存する。ステップＳ４２０において、システム制御部５０は、設定画面から表示画面を遷移させる。ステップＳ４２１において、システム制御部５０は、図６（ｂ）に示すように、選択枠３０１によって選択された設定項目に対応する一行表示欄３０５を表示する。その後、処理は上述したステップＳ４０８以降の処理に移行する。
【００４７】
ステップＳ４２２において、システム制御部５０は、選択枠３０１によって現在選択されている設定項目以外の設定項目に対して「タッチダウン」の操作が行われたか否かを判定する。選択枠３０１によって現在選択されている設定項目以外の設定項目に対して「タッチダウン」の操作が行われた場合、処理はステップＳ４２３に移行する。一方、選択枠３０１によって現在選択されている設定項目以外の設定項目に対して「タッチダウン」の操作が行われていない場合、処理はステップＳ４２７に移行する。
【００４８】
ステップＳ４２３において、システム制御部５０は、機能ガイダンス表示欄３０４を非表示にする。ステップＳ４２４において、システム制御部５０は、「タッチダウン」の操作が行われた設定項目に選択枠３０１を移動させる。ステップＳ４２５において、システム制御部５０は、選択枠３０１によって選択された設定項目に対応する一行表示欄３０５を表示する。ステップＳ４２６において、システム制御部５０は、選択枠３０１によって選択された設定項目に対応する機能ガイダンス表示欄３０４を表示する。その後、処理は、上述したステップＳ４０８以降の処理に移行する。
【００４９】
ステップＳ４２７において、システム制御部５０は、表示されている一行表示欄３０５又は機能ガイダンス表示欄３０４に対して「タッチダウン」の操作が行われたか否かを判定する。一行表示欄３０５又は機能ガイダンス表示欄３０４に対して「タッチダウン」の操作が行われた場合、処理はステップＳ４２８に移行する。一方、一行表示欄３０５又は機能ガイダンス表示欄３０４に対して「タッチダウン」の操作が行われていない場合、処理はステップＳ４２９に移行する。
【００５０】
ステップＳ４２８において、システム制御部５０は、一行表示欄３０５及び機能ガイダンス表示欄３０４のうちの少なくとも何れか一方を非表示にする。ステップＳ４２８の詳細については後述する。その後、処理は上述したステップＳ４１１以降の処理に移行する。
【００５１】
ステップＳ４２９において、システム制御部５０は、上述したタッチ操作以外のタッチ操作が行われたか否かを判定し、その判定結果に応じたタッチ操作の処理を行う。なお、ステップＳ４２９の詳細な説明は割愛する。その後、処理は上述したステップＳ４１１以降の処理に移行する。
【００５２】
ステップＳ４３０において、システム制御部５０は、他の操作部材による操作が行われたか否かを判定し、その判定結果に応じた処理を行う。なお、ステップＳ４３０の処理の詳細な説明は割愛する。その後、処理は上述したステップＳ４１１以降の処理に移行する。
【００５３】
次に、図７を参照しながら、ステップＳ４２８について詳細に説明する。ステップＳ７０１において、システム制御部５０は、表示部２８に表示されている一行表示欄３０５に対して「タッチダウン」の操作が行われたか否かを判定する。一行表示欄３０５に対して「タッチダウン」の操作が行われた場合、処理はステップＳ７０２に移行する。一方、一行表示欄３０５に対して「タッチダウン」の操作が行われていない場合、処理はステップＳ７０５に移行する。
【００５４】
ステップＳ７０２において、システム制御部５０は、一行表示欄３０５を非表示にする。ステップＳ７０３において、システム制御部５０は、機能ガイダンス表示欄３０４が表示されているか否かを判定する。機能ガイダンス表示欄３０４が表示されている場合、処理はステップＳ７０４に移行する。一方、機能ガイダンス表示欄３０４が表示されていない場合、処理はステップＳ７０４をスキップする。ステップＳ７０４において、システム制御部５０は、機能ガイダンス表示欄３０４を非表示にする。
【００５５】
ステップＳ７０５において、システム制御部５０は、表示されている機能ガイダンス表示欄３０４に対して「タッチダウン」の操作が行われたか否かを判定する。機能ガイダンス表示欄３０４に対して「タッチダウン」の操作が行われた場合、処理はステップＳ７０４に移行する。一方、機能ガイダンス表示欄３０４に対して「タッチダウン」の操作が行われていない場合、処理はステップＳ７０６に移行する。ステップＳ７０６において、システム制御部５０は、タッチ操作によって他のアイテムに対する操作が行われたか否かを判定し、他のアイテムに対する操作が行われた場合、当該他のアイテムに対する操作に応じた処理を実行する。なお、ステップＳ７０６の詳細な説明は割愛する。なお、ステップＳ７０１、Ｓ７０５において、画面上の位置の指定を受け付ける処理は、受付手段の処理例である。
【００５６】
図６（ｄ）に示すように、機能ガイダンス表示欄３０４が表示されている状態において、機能ガイダンス表示欄３０４に対して「タッチダウン」の操作が行われると、図６（ｅ）に示すように、機能ガイダンス表示欄３０４が非表示にされる。これにより、機能ガイダンス表示欄３０４によって隠されていた設定項目表示欄３０２の部分を見渡しながらも、選択枠３０１によって選択された設定項目の設定値や関連値をユーザに対して提示することができる。特に、シャッター速度、絞り値、ＩＳＯ感度、露出補正値、ブラケットの設定などは、いずれも露出に関する設定項目である。これら露出関係のいずれかの設定項目のパラメータは露出関係の他の設定項目のパラメータとのバランスを見ながら設定するため、機能ガイダンス表示欄３０４に妨げられずに他の項目の設定値を見ながら設定できるのは好適である。これは、ホワイトバランス設定や色効果などの色関係の項目についても同じことが言える。
【００５７】
また、図６（ｃ）に示すように、機能ガイダンス表示欄３０４と一行表示欄３０５との両方が表示されている状態において、一行表示欄３０５に対して「タッチダウン」の操作が行われると、図６（ａ）に示すように、設定項目表示欄３０２の全部がユーザに対して提示される。
【００５８】
このように、一度のタッチ操作を受け付けることにより、ユーザの意図に合わせた表示画面を提示することができるため、操作の煩わしさを改善することができる。
【００５９】
また、図７に示した処理では、１つの機能ガイダンス表示欄３０４を対象としたが、複数の機能ガイダンス表示欄３０４を対象とすることもできる。この場合、機能ガイダンス表示欄１、機能ガイダンス表示欄２、・・・の順で優先順位が高い、というように、各機能ガイダンス表示欄の優先順位付けを行っておく。そして、一行表示欄３０５に対して「タッチダウン」の操作が行われた場合、一行表示欄３０５に加えて、全ての機能ガイダンス表示欄が非表示にされる。また、機能ガイダンス表示欄１に対して「タッチダウン」の操作が行われた場合、一行表示欄３０５は非表示にされず、機能ガイダンス表示欄１と、機能ガイダンス表示欄１より優先順位が低い機能ガイダンス表示欄２、・・・とが非表示にされる。また、機能ガイダンス表示欄２に対して「タッチダウン」の操作が行われた場合、一行表示欄３０５と機能ガイダンス表示欄１とは非表示にされず、機能ガイダンス２より優先順位が低い機能ガイダンス表示欄が非表示にされる。これにより、機能ガイダンス表示欄が複数存在しても、一度のタッチ操作により、ユーザの利用状態に適した画面を表示させることができる。なお、一行表示欄３０５は、第１の情報の例であり、機能ガイダンス表示欄１は、第２の情報の例であり、機能ガイダンス表示欄２は、第３の情報の例である。
【００６０】
また、本実施形態では、機能ガイダンス表示欄３０４を設定項目表示欄３０２上に表示させ、一行表示欄３０５を状態表示欄３０３上に表示させているが、自然画上や電子ビューファインダによるスルー画像上に表示させてもよい。
【００６１】
上記実施形態においては、設定項目の複数の関連情報（一行表示欄、機能ガイダンス表示欄）の非表示のさせ方に順位を持たせた。これにより、下位にあたる関連情報を非表示にする操作がなされた場合には、当該関連情報を単独で非表示にし、上位にあたる関連情報を非表示にする操作がなされた場合には、当該関連情報とともに下位の関連情報を非表示にすることができる。これにより、一度の操作でユーザの意図に合わせた表示画面を提示することができる。
【００６２】
なお、上述した実施形態においては、デジタルカメラ１００を例に挙げたが、デジタルカメラ１００以外の表示制御装置にも本発明を適用することができる。即ち、液晶表示装置等のディスプレイに表示された複数の項目のいずれかに重畳して、特定の項目に関する情報を２箇所以上表示することのできる機器であれば、本発明を適用することができる。また、選択された項目の関連情報の表示位置に対する指示を行う操作部材としてタッチパネルを例にあげたが、マウスやジョイスティックなどを用いて、位置指定用のポインタを操作することにより表示位置に対する指示を行う機器にも本発明を適用することができる。すなわち本発明は、パーソナルコンピュータ、ＰＤＡ、携帯電話端末、携帯型の画像ビューワ、ディスプレイを備えるプリンタ装置、デジタルフォトフレーム、音楽プレーヤ、ゲーム機、及び、電子ブックリーダ等に適用することが可能である。
【００６３】
なお、システム制御部５０の制御は１つのハードウェアが行ってもよいし、複数のハードウェアが処理を分担することで、装置全体の制御を行ってもよい。
【００６４】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６５】
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム及び該プログラムを記憶したコンピュータ読み取り可能な記録媒体は本発明を構成することになる。
【符号の説明】
【００６６】
２８：表示部、５０：システム制御部、７０：操作部、７３：コントローラホイール、１００：デジタルカメラ
【図１】
2014006806.tif 000003
【図２】
2014006806.tif 000004
【図３】
2014006806.tif 000005
【図４】
2014006806.tif 000006
【図５】
2014006806.tif 000007
【図６】
2014006806.tif 000008
【図７】
2014006806.tif 000009